(57)【要約】【課題】部品点数の増加を最小限に抑えつつ、複数のロッカー本体の連結と屋根部材の取り付けとを可能とする宅配ロッカーを提供する。【解決手段】宅配ロッカーは、荷物を収容可能な収容空間を内部にそれぞれ有する複数のロッカー本体２１〜２３と、隣り合うロッカー本体のそれぞれの天井部分を連結するロッカー連結部材１１０，１１１と、ロッカー連結部材に固定される屋根部材と、を備える。【選択図】図２
2019180595.tif 000002
【特許請求の範囲】
【請求項１】
荷物を収容可能な収容空間を内部にそれぞれ有する複数のロッカー本体と、
隣り合う前記ロッカー本体のそれぞれの天井部分を連結するロッカー連結部材と、
前記ロッカー連結部材に固定される屋根部材と、を備える
宅配ロッカー。
【請求項２】
前記屋根部材は、互いに隙間を置いて配置された複数の屋根片により構成されている
請求項１に記載の宅配ロッカー。
【請求項３】
前記屋根部材に固定され、太陽光に基づいて発電するソーラーパネルと、
前記ソーラーパネルにおいて発電される電力を充電するとともに、充電された電力を放電可能な蓄電装置と、を更に備える
請求項１又は２に記載の宅配ロッカー。
【請求項４】
前記ロッカー本体の底面に固定され、前記ロッカー本体の外周面よりも外側に突出するように形成された架台部を更に備える
請求項１〜３のいずれか一項に記載の宅配ロッカー。
【請求項５】
前記架台部は、四角錐台状に形成されており、
前記架台部の頂面に前記ロッカー本体の底面が固定されている
請求項４に記載の宅配ロッカー。
【請求項６】
前記ロッカー本体は、
その前面に配置され、前記収容空間を開閉する第１扉部材と、
前記第１扉部材が配置される前面とは反対側の背面を開閉する第２扉部材と、を更に有する
請求項１〜５のいずれか一項に記載の宅配ロッカー。
【請求項７】
前記第１扉部材を電気的に施錠及び解錠する電気錠装置を更に備え、
前記電気錠装置は、施錠状態である場合に機械的に解錠させることの可能な解錠レバーを有し、
前記ロッカー本体は、
前記電気錠装置から前記ロッカー本体の背面に向かって延びるワイヤと、
前記ワイヤの加わる力を前記解錠レバーに伝達する動力伝達部材と、を更に有する
請求項６に記載の宅配ロッカー。
【請求項８】
前記ロッカー本体は、
箱状に形成され、前記収容空間を内部に有するとともに、積層して配置される複数の内側パネルと、
複数の前記内側パネルに連結され、前記内側パネルの積層体を支持する柱部材と、
前記内側パネルを前記柱部材に連結するパネル連結部材と、
前記内側パネル及び前記パネル連結部材よりも高い防錆性を有する高防錆性部材と、
前記内側パネル及び前記パネル連結部材にそれぞれ形成された挿入孔に挿入されるとともに、前記高防錆性部材に形成された雌ねじ孔にねじ込まれ、前記内側パネル、前記パネル連結部材、及び前記高防錆性部材を締結するねじ部材と、を備え、
前記内側パネル及び前記パネル連結部材のそれぞれの挿入孔と前記ねじ部材との間には隙間が形成されている
請求項１〜７のいずれか一項に記載の宅配ロッカー。
【請求項９】
前記ロッカー連結部材には、機器を取り付け可能な取り付け部材が更に固定されている
請求項１〜８のいずれか一項に記載の宅配ロッカー。
【発明の詳細な説明】
【技術分野】
【０００１】
本開示は、荷物を収容可能な宅配ロッカーに関する。
【背景技術】
【０００２】
従来、特許文献１に記載の宅配ロッカーがある。特許文献１に記載の宅配ロッカーは、ロッカー本体と、扉とを備えている。ロッカー本体の内部には、その内部空間を相互に独立した２つの収容空間に仕切る棚板が形成されている。扉は、２つの収容空間の前面の開口部に対して個々に開閉可能に取り付けられている。
【先行技術文献】
【特許文献】
【０００３】
【特許文献１】特開２０１６−３４４０４号公報
【発明の概要】
【発明が解決しようとする課題】
【０００４】
ところで、特許文献１に記載されるような宅配ロッカーを屋外に設置する場合、宅配ロッカーを操作するユーザや、ロッカーから取り出された荷物に雨滴等が当たり難くなるように、宅配ロッカーの天井部分に屋根部材を設けることが考えられる。しかしながら、宅配ロッカーの天井部分に屋根部材を新たに設けるとなると、屋根部材を取り付けるための専用の取り付け部材を宅配ロッカーの天井部分に別途設ける必要がある。
【０００５】
また、特許文献１に記載されるようなロッカー本体を用いる場合、このロッカー本体を複数連結することにより大型の宅配ロッカーを構成することが考えられる。しかしながら、複数のロッカー本体を連結するためには、それらを連結するための連結部材が別途必要となる。
【０００６】
上記のような屋根部材を取り付けるための取り付け部材や、複数のロッカー本体を連結するための連結部材は、宅配ロッカーの部品点数を増加させる要因となるため、結果的に宅配ロッカーのコストの悪化を招くおそれがある。
本開示は、こうした実情に鑑みてなされたものであり、その目的は、部品点数の増加を最小限に抑えつつ、複数のロッカー本体の連結と屋根部材の取り付けとを可能とする宅配ロッカーを提供することにある。
【課題を解決するための手段】
【０００７】
上記課題を解決する宅配ロッカーは、荷物を収容可能な収容空間を内部にそれぞれ有する複数のロッカー本体と、隣り合うロッカー本体のそれぞれの天井部分を連結するロッカー連結部材と、ロッカー連結部材に固定される屋根部材と、を備える。
この構成によれば、複数のロッカー本体を連結するために用いられるロッカー連結部材が、屋根部材を取り付けるための取り付け部材としても機能している。これにより、屋根部材をロッカー本体に取り付けるための取り付け部材の部品点数を最小限に抑えつつ、複数のロッカー本体の連結と屋根部材の取り付けとが可能となる。
【０００８】
上記の宅配ロッカーにおいて、屋根部材は、互いに隙間を置いて配置された複数の屋根片により構成されていることが好ましい。
この構成によれば、例えば強風が屋根部材に当たった場合でも、複数の屋根片の隙間を風が流れるため、屋根部材に加わる風圧が減少する。そのため、風圧に起因する屋根部材の変形や破損等を回避し易くなる。
【０００９】
上記の宅配ロッカーにおいて、屋根部材に固定され、太陽光に基づいて発電するソーラーパネルと、ソーラーパネルにおいて発電される電力を充電するとともに、充電された電力を放電可能な蓄電装置と、を更に備えることが好ましい。
この構成によれば、蓄電装置に充電された電力を、宅配ロッカーに搭載される各種電子部品に供給することにより、宅配ロッカー全体としての電力収支を改善したり、宅配ロッカーの自立運転を可能としたりすることができる。
【００１０】
上記の宅配ロッカーにおいて、ロッカー本体の底面に固定され、ロッカー本体の外周面よりも外側に突出するように形成された架台部を更に備えることが好ましい。
この構成によれば、例えば台車等で荷物を運搬する際に、台車の車輪が架台部に当たることにより、台車がロッカー本体に衝突し難くなる。よって、ロッカー本体の変形や損傷等を未然に防ぐことができる。
【００１１】
上記の宅配ロッカーにおいて、架台部は、四角錐台状に形成されており、架台部の頂面にロッカー本体の底面が固定されていることが好ましい。
この構成によれば、雨滴等が架台部の傾斜面に沿って流れるようになるため、ロッカー本体の底面近傍に雨滴が貯まり難くなる。
【００１２】
上記の宅配ロッカーにおいて、ロッカー本体は、その前面に配置され、収容空間を開閉する第１扉部材と、第１扉部材が配置される前面とは反対側の背面を開閉する第２扉部材と、を更に有することが好ましい。
この構成によれば、第２扉部材を開けることにより、ロッカー本体の内部のメンテナンス等を容易に行うことが可能となる。
【００１３】
上記の宅配ロッカーにおいて、第１扉部材を電気的に施錠及び解錠する電気錠装置を更に備え、電気錠装置は、施錠状態である場合に機械的に解錠させることの可能な解錠レバーを有し、ロッカー本体は、電気錠装置からロッカー本体の背面に向かって延びるワイヤと、ワイヤの加わる力を解錠レバーに伝達する動力伝達部材と、を更に有することが好ましい。
【００１４】
この構成によれば、例えば宅配ロッカーの管理者等が、第２扉部材を開けた後、ワイヤを操作するだけで電気錠装置を機械的に解錠させることができる。これにより、電気錠装置の解錠レバーを直接操作する場合と比較すると、より容易に電気錠装置を解錠させることができる。
【００１５】
上記の宅配ロッカーにおいて、ロッカー本体は、箱状に形成され、収容空間を内部に有するとともに、積層して配置される複数の内側パネルと、複数の内側パネルに連結され、内側パネルの積層体を支持する柱部材と、内側パネルを柱部材に連結するパネル連結部材と、内側パネル及びパネル連結部材よりも高い防錆性を有する高防錆性部材と、内側パネル及びパネル連結部材にそれぞれ形成された挿入孔に挿入されるとともに、高防錆性部材に形成された雌ねじ孔にねじ込まれ、内側パネル、パネル連結部材、及び高防錆性部材を締結するねじ部材と、を備え、内側パネル及びパネル連結部材のそれぞれの挿入孔とねじ部材との間には隙間が形成されていることが好ましい。
【００１６】
内側パネル及びパネル連結部材が錆び易い材料により形成されている場合、錆び難くするために内側パネル及びパネル連結部材に塗装等の防錆加工処理が施されることがある。しかしながら、内側パネル及びパネル連結部材に防錆加工処理を施したとしても、それらの部材にねじ部材がねじ込まれると、ねじ部材がねじ込まれる部分において防錆加工処理が剥離してしまうため、その部分が錆び易くなる懸念がある。この点、上記構成によれば、内側パネル及びパネル連結部材のそれぞれの挿入孔にねじ部材が接触しないため、それらの部材の防錆加工処理がねじ部材によって剥離することがない。よって、内側パネル及びパネル連結部材が錆び易くなるような状況を回避することができる。
【００１７】
上記の宅配ロッカーにおいて、ロッカー連結部材には、機器を取り付け可能な取り付け部材が更に固定されていることが好ましい。
この構成によれば、取り付け部材に任意の機器を取り付けることができるため、利便性を向上させることができる。
【発明の効果】
【００１８】
本開示によれば、部品点数の増加を最小限に抑えつつ、複数のロッカー本体の連結と屋根部材の取り付けとを可能とする宅配ロッカーを提供できる。
【図面の簡単な説明】
【００１９】
【図１】図１は、第１実施形態の宅配ロッカーの斜視構造を示す斜視図である。
【図２】図２は、第１実施形態の宅配ロッカーの屋根部材及び取り付け部材を除く斜視構造を示す斜視図である。
【図３】図３は、第１実施形態のロッカー本体の断面斜視構造を示す斜視図である。
【図４】図４は、第１実施形態のロッカー本体の断面構造を示す断面図である。
【図５】図５は、図４のＶ−Ｖ線に沿った断面構造を示す断面図である。
【図６】図６は、第１実施形態の屋根部材の断面構造を示す断面図である。
【図７】図７は、第１実施形態の宅配ロッカーの屋根部材を除く斜視構造を示す斜視図である。
【図８】図８は、第２実施形態の宅配ロッカーの側面構造を示す側面図である。
【図９】図９は、第３実施形態の宅配ロッカーの背面構造を示す背面図である。
【図１０】図１０は、第４実施形態の電気錠装置の斜視構造を示す斜視図である。
【図１１】図１１は、第４実施形態の宅配ロッカーにおける電気錠装置及びワイヤ周辺の側面構造を示す側面図である。
【図１２】図１２は、第５実施形態の宅配ロッカーにおける内側パネル、パネル連結部材、及び高防錆性部材の連結部分周辺の斜視構造を示す斜視図である。
【図１３】図１３は、第５実施形態の宅配ロッカーにおける内側パネル、パネル連結部材、及び高防錆性部材の連結部分周辺の断面構造を示す断面図である。
【発明を実施するための形態】
【００２０】
以下、宅配ロッカーの実施形態について図面を参照しながら説明する。説明の理解を容易にするため、各図面において同一の構成要素に対しては可能な限り同一の符号を付して、重複する説明は省略する。
＜第１実施形態＞
はじめに、図１〜図７を参照して、第１実施形態の宅配ロッカー１０について説明する。図１に示される本実施形態の宅配ロッカー１０は、企業の屋外の敷地等に設置することが可能である。宅配ロッカー１０は、本体部２０と、操作部３０とを備えている。
【００２１】
図２に示されるように、本体部２０は、３つのロッカー本体２１〜２３をＸ軸方向に連結した構造からなる。各ロッカー本体２１〜２３は、Ｚ軸方向に延びるように直方体状に形成されている。Ｚ軸方向は、鉛直方向に相当する。また、Ｚ軸方向のうちの一方向であるＺ１軸方向は、鉛直方向上方に相当し、Ｚ２軸方向は、鉛直方向下方に相当する。
【００２２】
各ロッカー本体２１〜２３の内部には、荷物を収容可能な複数の収容空間がＺ軸方向に並べて形成されている。各ロッカー本体２１〜２３は、複数の収容空間のそれぞれの開口部に扉部材４０を有している。扉部材４０は、ロッカー本体２１〜２３の各収容空間を開閉する。操作部３０は、タッチパネル等を備えており、宅配業者、又は荷物の受取人であるユーザが宅配ロッカー１０を操作する部分である。
【００２３】
この宅配ロッカー１０では、例えば宅配業者が荷物を配達した際に、受取人であるユーザが不在であった場合、宅配業者は、操作部３０を操作することにより、一つ又は複数の扉部材４０を開けることができる。これにより、宅配業者は、開状態になった扉部材４０に対応する収容空間に荷物を収容することができる。その後、ユーザは、都合の良い時期に操作部３０を操作することで荷物を受け取ることが可能である。
【００２４】
なお、宅配ロッカー１０は、ユーザが荷物を特定者に送りたい場合にも利用可能である。この場合、ユーザは、操作部３０を操作することにより、送りたい荷物を宅配ロッカー１０の収容空間に収容する。その後、宅配業者が操作部３０を操作して荷物を集荷することにより、宅配業者が荷物を特定者に配達する。
【００２５】
このように、宅配ロッカー１０は、ユーザと宅配業者との間での荷物の受け取りを代行する装置である。
なお、以下では、Ｘ軸方向のうち、ロッカー本体２１からロッカー本体２３に向かう方向を「Ｘ１軸方向」又は右方向と称し、その反対の方向を「Ｘ２軸方向」又は左方向と称する。また、Ｙ軸方向のうち、宅配ロッカー１０の扉部材４０が設けられる前面からその反対側の背面に向かう方向を「Ｙ１軸方向」と称し、その反対の方向を「Ｙ２軸方向」と称する。
【００２６】
次に、ロッカー本体２１〜２３の構造について詳しく説明する。なお、各ロッカー本体２１〜２３の基本構造は同一であるため、以下では、ロッカー本体２１の構造について代表して説明する。
図３及び図４に示されるように、ロッカー本体２１は、扉部材４０と、内側パネル５０と、柱部材６０〜６３と、外側パネル７０とを備えている。
【００２７】
内側パネル５０は、それぞれ平板状に形成された底板部５１、左側板部５２、右側板部５３、及び背板部５４をねじ部材等により箱状に組み合わせた構造を有している。内側パネル５０は、底板部５１、側板部５２，５３、及び背板部５４の配置されていない前面及び上部において開口している。内側パネル５０は、金属材料等により形成されている。
【００２８】
図５に示されるように、ロッカー本体２１の内部では、複数の内側パネル５０がＺ軸方向に積層して配置されている。Ｚ軸方向に隣り合う内側パネル５０のうち、上方に配置された内側パネル５０の底板部５１により、下方に配置された内側パネル５０の上部の開口部分が閉塞されている。内側パネル５０の底板部５１、側板部５２，５３、背板部５４、並びに隣り合う内側パネルの底板部５１によって囲まれる空間により、荷物を収容可能な収容空間Ｓ１が形成されている。
【００２９】
図５に示されるように、内側パネル５０の左側板部５２は、その上方に位置する内側パネル５０の左側板部５２と左側パネル連結部材５５を介して連結されている。また、内側パネル５０の右側板部５３は、その上方に位置する内側パネル５０の右側板部５３と右側パネル連結部材５６を介して連結されている。これらのパネル連結部材５５，５６により、隣り合う内側パネル５０，５０がＺ軸方向に互いに連結されている。ロッカー本体２１では、各連結部材５５，５６が複数用いられることにより、複数の内側パネル５０がＺ軸方向に互いに連結されて積層されている。
【００３０】
以下では、このようなＺ軸方向に積層して配置された複数の内側パネル５０をまとめて「内側パネル５０の積層体」とも称する。
図３及び図４に示されるように、複数の柱部材６０〜６３は、内側パネル５０の積層体の四隅にそれぞれ配置されている。柱部材６０〜６３は、Ｚ軸方向に延びるように形成された四角筒状の金属部材からなる。
【００３１】
柱部材６０〜６３のうち、内側パネル５０の積層体の左後方に配置される左後方柱部材６０は、内側パネル５０の積層体の左側面に対して平行に延びる第１突出部６００と、内側パネル５０の積層体の背面に対して平行に延びる第２突出部６０１とを有している。
同様に、内側パネル５０の積層体の右後方に配置される右後方柱部材６１は、内側パネル５０の積層体の右側面に対して平行に延びる第１突出部６１０と、内側パネル５０の積層体の背面に対して平行に延びる第２突出部６１１とを有している。
【００３２】
また、内側パネル５０の積層体の左前方に配置される左前方柱部材６２は、内側パネル５０の積層体の左側面に対して平行に延びる第１突出部６２０と、内側パネル５０の積層体の前面に対して平行に延びる第２突出部６２１とを有している。
同様に、内側パネル５０の積層体の右前方に配置される右前方柱部材６３は、内側パネル５０の積層体の右側面に対して平行に延びる第１突出部６３０と、内側パネル５０の積層体の前面に対して平行に延びる第２突出部６３１とを有している。
【００３３】
図４に示されるように、左後方柱部材６０の第１突出部６００及び左前方柱部材６２の第１突出部６２０には、左側パネル連結部材５５がねじ部材等により連結されている。また、右後方柱部材６１の第１突出部６１０及び右前方柱部材６３の第１突出部６３０には、右側パネル連結部材５６がねじ部材等により連結されている。よって、内側パネル５０の積層体は、左側パネル連結部材５５及び右側パネル連結部材５６を介して柱部材６０〜６３により支持されている。
【００３４】
左後方柱部材６０の第２突出部６０１及び右後方柱部材６１の第２突出部６１１には、平板状の背板部７１がねじ部材等により組み付けられている。背板部７１は、内側パネル５０の積層体の背面と所定の隙間を有して対向配置されている。
また、左後方柱部材６０の第１突出部６００及び左前方柱部材６２の第１突出部６２０には、平板状の左側板部７２がねじ部材等により組み付けられている。左側板部７２は、内側パネル５０の積層体の左側面と所定の隙間を有して対向配置されている。
【００３５】
同様に、右後方柱部材６１の第１突出部６１０及び右前方柱部材６３の第１突出部６３０には、平板状の右側板部７３がねじ部材等により組み付けられている。右側板部７３は、内側パネル５０の積層体の右側面と所定の隙間を有して対向配置されている。
図２に示されるように、各柱部材６０〜６３の上端部には、天板部７４がねじ部材等により組み付けられている。天板部７４は、内側パネル５０の積層体の上面に対向するように配置されている。また、図１に示されるように、各柱部材６０〜６３の下端部には、底板部７５がねじ部材等により組み付けられている。底板部７５は、内側パネル５０の積層体の底面に対向するように配置されている。
【００３６】
これらの背板部７１、左側板部７２、右側板部７３、天板部７４、及び底板部７５により外側パネル７０が構成されている。すなわち、外側パネル７０は、内側パネル５０の積層体の周囲を囲うように配置されており、内側パネル５０の積層体を外部環境から保護している。また、図３〜図５に示されるように、外側パネル７０と内側パネル５０の積層体との間には隙間が形成されている。すなわち、宅配ロッカー１０は二重構造となっている。
【００３７】
図１に示されるように、底板部７５の底面は、円錐台状に形成された架台部８０の頂面８１に組み付けられている。架台部８０は、円錐台状に形成されることにより、ロッカー本体２１の外周面よりも外側に突出するように形成されている。架台部８０は、アンカー等により地面や土台に固定されている。
【００３８】
図３に示されるように、ロッカー本体２１の前面には、仕切り部材９０及び扉部材４０が設けられている。仕切り部材９０は、Ｘ軸方向に延びるように形成されており、左前方柱部材６２の第２突出部６２１及び右前方柱部材６３の第２突出部６３１に対してねじ部材等により組み付けられている。仕切り部材９０は、Ｚ軸方向における複数の内側パネル５０のそれぞれの境界部分に対応するように配置されている。
【００３９】
図４に示されるように、扉部材４０の右端部は、仕切り部材９０に固定された軸部９１により回転可能に支持されている。扉部材４０の左端部には、電気錠装置１００に係合する爪部４１が形成されている。電気錠装置１００の右側面は、内側パネル５０の左側板部５２の外面にねじ部材等により固定されている。また、電気錠装置１００の左側面には取り付け部材１０１が固定されている。取り付け部材１０１は、ねじ部材等により左前方柱部材６２の第１突出部６２０に固定されている。これにより、電気錠装置１００は、取り付け部材１０１を介して左前方柱部材６２にも固定されている。
【００４０】
電気錠装置１００は、扉部材４０を電気的に施錠及び解錠する装置である。具体的には、宅配業者やユーザが内側パネル５０の収容空間Ｓ１に荷物を収容した後に扉部材４０を閉じることにより電気錠装置１００に扉部材４０の爪部４１が係合すると、電気錠装置１００は、扉部材４０の爪部４１を電気的にロックすることにより、扉部材４０を施錠する。また、宅配業者やユーザが操作部３０に対して電気錠装置１００の解錠操作を行うと、電気錠装置１００は扉部材４０の爪部４１のロックを解除する。これにより、扉部材４０が開状態になるため、宅配業者やユーザは、内側パネル５０の収容空間Ｓ１に荷物を収容したり、収容空間Ｓ１内の荷物を取り出したりすることができる。
【００４１】
図２に示されるように、ロッカー本体２２，２３は、ロッカー本体２１と略同一の構造を有している。但し、ロッカー本体２２は、複数の内側パネル５０に代えて操作部３０が設けられている点でロッカー本体２１と異なる。また、ロッカー本体２３は、ロッカー本体２１に用いられる扉部材４０及び内側パネル５０よりも大きい扉部材４０及び内側パネル５０を用いている点でロッカー本体２１と異なる。これらのロッカー本体２１〜２３がＸ軸方向に連結されることにより宅配ロッカー１０が構成されている。
【００４２】
図２に示されるように、ロッカー本体２１の天板部７４におけるＸ１軸方向の端部、及びロッカー本体２２の天板部７４におけるＸ２軸方向の端部には、ロッカー本体２１及びロッカー本体２２を連結するためのロッカー連結部材１１０がねじ部材等により固定されている。すなわち、ロッカー連結部材１１０は、ロッカー本体２１及びロッカー本体２２のそれぞれの天井部分を連結している。同様に、ロッカー本体２２の天板部７４におけるＸ１軸方向の端部、及びロッカー本体２３の天板部７４におけるＸ２軸方向の端部にも、ロッカー本体２２及びロッカー本体２３を連結するためのロッカー連結部材１１１がねじ部材等により固定されている。すなわち、ロッカー連結部材１１１は、ロッカー本体２２及びロッカー本体２３のそれぞれの天井部分を連結している。
【００４３】
また、ロッカー本体２１の天板部７４におけるＸ２軸方向の端部、及びロッカー本体２３の天板部７４におけるＸ１軸方向の端部には、取り付け部材１１２，１１３がねじ部材等によりそれぞれ固定されている。
ロッカー連結部材１１０，１１１及び取り付け部材１１２，１１３は、各ロッカー本体２１〜２３の天板部７４においてＹ１軸方向の端部からＹ２軸方向の端部まで延びるように形成されている。Ｚ１軸方向におけるロッカー連結部材１１０，１１１のそれぞれの上面は、Ｙ１軸方向の端部からＹ２軸方向の端部に向かうほどＺ軸方向の高さが高くなるように形成された傾斜面１１０ａ，１１１ａをそれぞれ有している。Ｚ１軸方向における取り付け部材１１２，１１３のそれぞれの上面も、同様の傾斜面１１２ａ，１１３ａを有している。ロッカー連結部材１１０，１１１及び取り付け部材１１２，１１３のそれぞれの傾斜面１１０ａ，１１１ａ，１１２ａ，１１３ａには、図１に示されるような屋根部材１２０〜１２２が固定される。屋根部材１２０〜１２２は、ロッカー本体２１〜２３のそれぞれに対応して設けられている。
【００４４】
図６に示されるように、屋根部材１２１は、平板状の２つの屋根片１２３，１２４により構成されている。屋根片１２３，１２４は、そのＺ２軸方向の底面から延びるように形成される複数の脚部１２５，１２６をそれぞれ有している。複数の脚部１２５，１２６のそれぞれの先端部は、図２に示されるロッカー連結部材１１０，１１１のそれぞれの傾斜面１１０ａ，１１１ａに形成されたねじ孔１１０ｂ，１１１ｂにねじ込まれる図示しないねじ部材により、ロッカー連結部材１１０，１１１のそれぞれの傾斜面１１０ａ，１１１ａに締結されて固定されている。
【００４５】
屋根片１２３及び屋根片１２４は、傾斜面１１０ａ，１１１ａに平行に配置されている。Ｙ軸方向における屋根片１２３と屋根片１２４との間には、隙間Ｓ２が形成されている。屋根片１２３は、ロッカー本体２２の前面よりも突出するように配置されている。これにより、雨天の際に、宅配ロッカー１０の上方から降ってくる雨滴が屋根片１２３に当たることで、ロッカー本体２２の前方部分に雨滴が降り注ぐことがない。よって、宅配ロッカー１０を操作するユーザや、宅配ロッカー１０から取り出された荷物に雨滴が当たり難くなっている。
【００４６】
なお、図１に示される屋根部材１２０，１２２は、屋根部材１２１と同一の構造を有している。但し、屋根部材１２０は、図２に示されるロッカー連結部材１１０のねじ孔１１０ｂ及び取り付け部材１１２のねじ孔１１２ｂにねじ込まれるねじ部材により、ロッカー連結部材１１０の傾斜面１１０ａ及び取り付け部材１１２の傾斜面１１２ａに固定されている。同様に、屋根部材１２２は、ロッカー連結部材１１１のねじ孔１１１ｂ及び取り付け部材１１３のねじ孔１１３ｂにねじ込まれるねじ部材により、ロッカー連結部材１１１の傾斜面１１１ａ及び取り付け部材１１３の傾斜面１１３ａに固定されている。
【００４７】
また、図７に示されるように、ロッカー連結部材１１０，１１１のそれぞれの前面の間には、平板状の取り付け部材１３０がねじ部材等により固定されている。取り付け部材１３０には、照明装置１４０が固定されている。照明装置１４０から発せられる光により、夜間であってもユーザや宅配業者が宅配ロッカー１０を操作し易くなっている。なお、取り付け部材１３０には、照明装置１４０に代えて、防犯用カメラ装置や電撃殺虫器等の任意の機器を取り付けることが可能である。
【００４８】
同様に、ロッカー連結部材１１０及び取り付け部材１１２のそれぞれの前面の間にも、平板状の取り付け部材１３１が取り付けられている。また、ロッカー連結部材１１１及び取り付け部材１１３のそれぞれの前面の間にも、平板状の取り付け部材１３２が取り付けられている。これらの取り付け部材１３１及び取り付け部材１３２にも任意の機器を取り付けることが可能である。
【００４９】
以上説明した本実施形態の宅配ロッカー１０によれば、以下の（１）〜（４）に示される作用及び効果を得ることができる。
（１）複数のロッカー本体２１〜２３を連結するために用いられるロッカー連結部材１１０，１１１が、ロッカー本体２１〜２３の天井に屋根部材１２０〜１２２を取り付けるための取り付け部材としても機能する。これにより、屋根部材１２０〜１２２を取り付けるための取り付け部材の部品点数を最小限に抑えつつ、複数のロッカー本体２１〜２３の連結と屋根部材１２０〜１２２の取り付けとが可能となる。
【００５０】
（２）屋根部材１２０〜１２２は、互いに隙間をおいて配置された２つの屋根片１２３，１２４により構成されている。このような構成によれば、例えば強風が屋根部材１２０〜１２２に当たった場合でも、屋根片１２３，１２４の隙間を風が流れるため、屋根部材１２０〜１２２に加わる風圧が減少する。そのため、風圧に起因する屋根部材１２０〜１２２の変形や破損等を回避し易くなる。
【００５１】
（３）宅配ロッカー１０には、ロッカー本体２１〜２３の底面に固定される架台部８０を備えている。架台部８０は、ロッカー本体２１〜２３の外周面よりも外側に突出するように形成されている。これにより、例えば台車等で荷物を運搬する際に、台車の車輪が架台部８０に当たることにより、台車がロッカー本体２１〜２３に衝突し難くなる。よって、ロッカー本体２１〜２３の変形や損傷等を未然に防ぐことができる。
【００５２】
（４）架台部８０は、四角錐台状に形成されている。この架台部８０の頂面８１にロッカー本体２１〜２３の底面が固定されている。これにより、図１に示される架台部８０の傾斜面８２に沿って雨滴等が流れるようになるため、ロッカー本体２１〜２３の底面近傍に雨滴等が貯まり難くなる。
【００５３】
（５）ロッカー連結部材１１０，１１１には、取り付け部材１３０が固定されている。これにより、取り付け部材１３０に照明装置１４０等の任意の機器を取り付けることができるため、利便性を向上させることができる。
＜第２実施形態＞
次に、宅配ロッカー１０の第２実施形態について説明する。以下、第１実施形態の宅配ロッカー１０との相違点を中心に説明する。
【００５４】
図８に示されるように、本実施形態の宅配ロッカー１０では、屋根部材１２０〜１２２の天井面にソーラーパネル１５０が固定されている。ソーラーパネル１５０は、太陽光に基づいて発電する。
また、ロッカー本体２３の内部には、内側パネル５０の積層体に代えて、蓄電装置１６０が設けられている。蓄電装置１６０は、ソーラーパネル１５０において発電された電力を充電する。また、蓄電装置１６０は、充電された電力を放電することにより、操作部３０等、宅配ロッカー１０の各種電子機器に電力を供給することが可能である。
【００５５】
以上説明した本実施形態の宅配ロッカー１０によれば、以下の（６）に示される作用及び効果を更に得ることができる。
（６）蓄電装置１６０に充電された電力が、宅配ロッカー１０に搭載される各種電子部品に供給されることにより、宅配ロッカー１０全体としての電力収支を改善したり、宅配ロッカー１０の自立運転を可能としたりすることができる。
【００５６】
＜第３実施形態＞
次に、宅配ロッカー１０の第３実施形態について説明する。以下、第１実施形態の宅配ロッカー１０との相違点を中心に説明する。
図９に示されるように、本実施形態のロッカー本体２１〜２３には、その背面を開閉するための扉部材１７０がそれぞれ設けられている。本実施形態では、ロッカー本体２１〜２３の前面に設けられる扉部材４０が第１扉部材に相当し、ロッカー本体２１〜２３の背面に設けられる扉部材１７０が第２扉部材に相当する。各扉部材１７０には、機械式の錠装置１７１が設けられている。錠装置１７１の鍵は、宅配ロッカー１０の管理者等が所持している。
【００５７】
以上説明した本実施形態の宅配ロッカー１０によれば、以下の（７）に示される作用及び効果を更に得ることができる。
（７）管理者等は、鍵を用いて錠装置１７１を解錠して扉部材１７０を開けることにより、各ロッカー本体２１〜２３の内部を見ることができる。これにより、電気錠装置１００等の内部装置に異常が生じた場合でも、扉部材１７０を開けることにより、内部装置の修理や交換等を行うことができるため、各ロッカー本体２１〜２３のメンテナンスを容易に行うことができる。
【００５８】
＜第４実施形態＞
次に、宅配ロッカー１０の第４実施形態について説明する。以下、第３実施形態の宅配ロッカー１０との相違点を中心に説明する。
図１０に示されるように、本実施形態の電気錠装置１００は、そのＹ１軸方向の背面に解錠レバー１０２を有している。解錠レバー１０２は、Ｚ１軸方向に、すなわち鉛直方向上方に操作可能となっている。電気錠装置１００は、解錠レバー１０２の鉛直方向上方への操作に基づいて施錠状態から解錠状態に強制的に移行させることの可能な機械式の解錠機構を備えている。
【００５９】
取り付け部材１０１における解錠レバー１０２の近傍の部分には、長板状の動力伝達部材１０３が設けられている。動力伝達部材１０３の一端部は、取り付け部材１０１に固定される軸部材１０３ａにより回転可能に支持されている。動力伝達部材１０３の他端部には、ねじ部材１０３ｂがねじ込まれて固定されている。ねじ部材１０３ｂの先端部は、解錠レバー１０２の鉛直方向下方側の部分に接触している。
【００６０】
また、図１１に示されるように、ねじ部材１０３ｂには、ワイヤＷの一端部が巻き付けられて固定されている。ワイヤＷの他端部は、左後方柱部材６０の第１突出部６００まで延びている。左後方柱部材６０の第１突出部６００には、板部材６０２が固定されている。ワイヤＷの他端部は、板部材６０２にねじ込まれたねじ部材６０３に巻き付けられて固定されている。ワイヤＷは、ねじ部材１０３ｂとねじ部材６０３との間に緊張状態で保持されている。
【００６１】
なお、同様の動力伝達部材１０３及びワイヤＷは、各ロッカー本体２１〜２３の全ての電気錠装置１００に設けられている。
本実施形態の宅配ロッカー１０では、管理者等がロッカー本体２１〜２３の背面に設けられた扉部材１７０を開けた後、ワイヤＷを鉛直方向上方に引っ張ると、ワイヤＷを介して動力伝達部材１０３に伝達される力により、動力伝達部材１０３に鉛直方向上方の力が加わる。これにより、動力伝達部材１０３が、軸部材１０３ａを中心に矢印Ｃで示される方向に回転するため、図１０に示されるねじ部材１０３ｂにより解錠レバー１０２が鉛直方向上方に操作される。よって、電気錠装置１００を機械的に解錠させることができる。
【００６２】
以上説明した本実施形態の宅配ロッカー１０によれば、以下の（８）に示される作用及び効果を更に得ることができる。
（８）ロッカー本体２１〜２３は、電気錠装置１００からロッカー本体２１〜２３の背面に向かって延びるワイヤＷと、ワイヤＷに加わる力を解錠レバー１０２に伝達する動力伝達部材１０３とを有している。これにより、管理者等は、電気錠装置１００の解錠レバー１０２まで手を伸ばして解錠レバー１０２を直接操作することなく、ワイヤＷに所定の力を加えるだけで解錠レバー１０２を解錠方向に操作することができるため、より容易に電気錠装置１００を解錠させることができる。
【００６３】
＜第５実施形態＞
次に、宅配ロッカー１０の第５実施形態について説明する。以下、第１実施形態の宅配ロッカー１０との相違点を中心に説明する。
第１実施形態の宅配ロッカー１０において、例えば内側パネル５０及びパネル連結部材５５，５６が防錆性の低い金属材料により形成されている場合、それらに対して、防錆性を高めるための塗装等の加工が施される場合がある。
【００６４】
一方、内側パネル５０及びパネル連結部材５５，５６をねじ部材により連結する場合、内側パネル５０及びパネル連結部材５５，５６にねじ穴を形成する必要がある。しかしながら、内側パネル５０及びパネル連結部材５５，５６のねじ穴にねじ部材をねじ込む際に、内側パネル５０及びパネル連結部材５５，５６のねじ穴に施された塗装等の防錆加工処理が剥離する可能性がある。これが、内側パネル５０及びパネル連結部材５５，５６に錆びを発生させる要因となる。
【００６５】
そこで、本実施形態の宅配ロッカー１０では、内側パネル５０及びパネル連結部材５５，５６に錆びが発生し難い構造としつつ、それらの連結を可能としている。
具体的には、図１２に示されるように、パネル連結部材５６には、内側パネル５０の右側板部５３に対して平行にＺ１軸方向に折り曲げられた折り曲げ部５６０が形成されている。パネル連結部材５６の折り曲げ部５６０は、内側パネル５０の右側板部５３と高防錆性部材１８０とにより挟み込まれている。高防錆性部材１８０は、ステンレス等の高い防錆性を有する金属材料により形成された平板状の部材からなる。
【００６６】
図１３に示されるように、内側パネル５０の右側板部５３及びパネル連結部材５６の折り曲げ部５６０には、ねじ部材１９０が挿入される挿入孔５３０，５６１が同軸上にそれぞれ形成されている。挿入孔５３０，５６１の内径がねじ部材１９０の外径よりも大きく設定されることにより、挿入孔５３０，５６１の内周面とねじ部材１９０の外周面との間には隙間が形成されている。
【００６７】
高防錆性部材１８０には、挿入孔５３０，５６１と同軸上に雌ねじ孔１８１が形成されている。雌ねじ孔１８１にねじ部材１９０がねじ込まれることにより、内側パネル５０の右側板部５３、パネル連結部材５６の折り曲げ部５６０、及び高防錆性部材１８０が締結されている。
【００６８】
ロッカー本体２１には、このような高防錆性部材１８０及びねじ部材１９０による内側パネル５０及びパネル連結部材５６の締結構造が複数設けられている。また、内側パネル５０の左側板部５２及びパネル連結部材５５に対しても同様の高防錆性部材１８０及びねじ部材１９０による締結構造が複数設けられている。
【００６９】
以上説明した本実施形態の宅配ロッカー１０によれば、以下の（９）に示される作用及び効果を更に得ることができる。
（９）内側パネル５０及びパネル連結部材５５，５６にねじ部材１９０が接触していないため、それらの部材の防錆加工処理がねじ部材１９０によって剥離することがない。よって、内側パネル５０及びパネル連結部材５５，５６が錆び易くなるような状況を回避することができる。
【００７０】
＜他の実施形態＞
なお、上記実施形態は、以下の形態にて実施することもできる。
・第１実施形態の屋根部材１２０〜１２２は、２つの屋根片に限らず、互いに隙間を置いて配置される３つ以上の屋根片により構成されていてもよい。
【００７１】
・第１実施形態の架台部８０の形状は、四角錐台状に限らず、任意に変更可能である。
・第４実施形態の宅配ロッカー１０では、例えばロッカー本体２１の複数の電気錠装置１００のそれぞれに対応する複数のワイヤＷを所定の操作レバーに接続した上で、この操作レバーを操作することにより複数の電気錠装置１００の解錠レバー１０２を一括で解錠方向に操作できるようにしてもよい。このような構成によれば、複数の電気錠装置１００を一括で解錠させることができるため、利便性を向上させることができる。
【００７２】
・各実施形態の宅配ロッカー１０を構成するロッカー本体の数は任意に変更可能である。
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００７３】
Ｗ：ワイヤ
１０：宅配ロッカー
２１〜２３：ロッカー本体
４０：扉部材（第１扉部材）
５５，５６：パネル連結部材
５０：内側パネル
６０〜６３：柱部材
８０：架台部
１００：電気錠装置
１０２：解錠レバー
１０３：動力伝達部材
１１０，１１１：ロッカー連結部材
１２０〜１２２：屋根部材
１２３，１２４：屋根片
１３０〜１３２：取り付け部材
１５０：ソーラーパネル
１６０：蓄電装置
１７０：扉部材（第２扉部材）
１８０：高防錆性部材
１８１：雌ねじ孔
１９０：ねじ部材
５３０，５６１：挿入孔
【図１】
2019180595.tif 000003
【図２】
2019180595.tif 000004
【図３】
2019180595.tif 000005
【図４】
2019180595.tif 000006
【図５】
2019180595.tif 000007
【図６】
2019180595.tif 000008
【図７】
2019180595.tif 000009
【図８】
2019180595.tif 000010
【図９】
2019180595.tif 000011
【図１０】
2019180595.tif 000012
【図１１】
2019180595.tif 000013
【図１２】
2019180595.tif 000014
【図１３】
2019180595.tif 000015